(57)【特許請求の範囲】
【請求項１】
互いに異なる方向である第一方向及び第二方向を含む所定方向に延びる物品を梱包可能であり、且つ所定の基準線を通る折り目に沿って折り曲げ可能な一枚の紙で形成される梱包部材であって、
折り曲げられた前記紙の前記折り目を跨いで、前記紙の内側に突出する前記紙の一部である第一当て部と、
前記第一当て部から前記基準線の延びる方向に離隔した位置にある前記紙の一部であって、前記折り目を跨いで前記紙の内側に突出する第二当て部と、
前記第一当て部と前記第二当て部との間にある前記紙の一部であって、前記基準線に沿って前記紙の内側に配置された前記物品を、前記所定方向と前記基準線とが略平行に延びる姿勢で保持して、前記物品が前記基準線から離隔する方向に移動することを規制する保持部とを備え、
前記第一当て部及び前記第二当て部は、それぞれ、前記基準線の延びる方向に対向する一対の切れ目の間に形成された、前記紙が折り曲げられた場合に前記基準線から離隔する方向に屈折又は湾曲する部分であり、
前記第一当て部は、前記保持部によって保持されている前記物品に前記第一方向側から対向して、前記物品の前記第一方向の移動を規制し、
前記第二当て部は、前記保持部によって保持されている前記物品における前記第二方向側から対向して、前記物品の前記第二方向の移動を規制し、
前記物品は、
インクを出すペン先と、
前記ペン先を収容した本体部と、
前記本体部の前記第一方向の端部に設けられ、前記本体部から前記ペン先を進出させ、又は前記本体部に前記ペン先を退入させるために、押圧操作が可能なノック部と、
前記本体部の前記第二方向の端部に設けられ、前記ペン先が進退可能なペン孔とを有し、
前記第一当て部は、前記第一当て部の内側に形成される隙間に挿入された前記ノック部と接触することで、前記ノック部を前記第一当て部の内側に保持し、且つ、前記本体部の前記第一方向の端部に接触することで、前記物品の前記第一方向の移動を規制し、
前記第二当て部は、前記第一当て部よりも前記基準線から距離が小さく、且つ前記本体部の前記第二方向の端部に接触することで、前記物品の前記第二方向の移動を規制する
ことを特徴とする梱包部材。
【請求項２】
前記基準線から前記第一当て部までの距離は、前記物品の径方向長さの最大値未満であり、
前記径方向長さは、前記所定方向と直交する方向における長さであり、
前記基準線から前記第二当て部までの距離は、前記物品の前記径方向長さの最大値未満であることを特徴とする請求項１に記載の梱包部材。
【請求項３】
前記保持部は、前記基準線の延びる方向に対向する一対の切れ目の間に形成された、前記紙が折り曲げられた場合に前記基準線から離隔する方向に屈折又は湾曲する部分であり、
前記基準線から前記保持部までの距離は、前記物品の前記径方向長さの最大値以上であり、
前記保持部は、前記保持部の内側に形成される隙間に挿入された前記物品と接触することで、前記物品を前記保持部の内側に保持することを特徴とする請求項２に記載の梱包部材。
【請求項４】
前記保持部は、
前記第一当て部の前記第二方向側において、前記物品の一部を保持する第一保持部と、
前記第一保持部の前記第二方向側、且つ前記第二当て部の前記第一方向側において、前記物品の一部を保持する第二保持部と
を有することを特徴とする請求項１から３のいずれかに記載の梱包部材。
【請求項５】
前記保持部と前記第一当て部との間に形成された、前記紙を貫通する開口部を備えたことを特徴とする請求項１から４のいずれかに記載の梱包部材。
【請求項６】
前記物品は、前記保持部に掛けることが可能なクリップを有し、
前記保持部を形成する前記一対の切れ目の距離は、前記クリップの前記所定方向の長さよりも小さいことを特徴とする請求項１から５のいずれかに記載の梱包部材。
【発明の詳細な説明】
【技術分野】
【０００１】
本発明は、所定方向に延びる物品を梱包するための梱包部材に関する。
【背景技術】
【０００２】
従来、例えば筆記具のように所定方向に延びる物品を梱包するための梱包部材が知られている（例えば、特許文献１参照）。特許文献１に記載の梱包箱では、直方体形状の箱本体の内部に、互いに直交する複数の仕切板で形成された区画部材によって、複数の収容室が設けられる。箱本体の側板内面と区画部材の側面との間に、緩衝空間が設けられる。各収容室に収容されている筆記具又は筆記具用部品は、例えば輸送時の落下衝撃で損傷することが抑制される。
【先行技術文献】
【特許文献】
【０００３】
【特許文献１】特開２０１０−１２６１５９号公報
【発明の概要】
【発明が解決しようとする課題】
【０００４】
上記の梱包箱は、複数の部材を組み合わせて形成されるので、構造が複雑であった。従って、梱包箱の製造に要する時間及びコストが増大するおそれがあった。
【０００５】
本発明の目的は、簡易な構造で、所定方向に延びる物品を梱包可能な梱包部材を提供することである。
【課題を解決するための手段】
【０００６】
本発明の一態様に係る梱包部材は、互いに異なる方向である第一方向及び第二方向を含む所定方向に延びる物品を梱包可能であり、且つ所定の基準線を通る折り目に沿って折り曲げ可能な一枚の紙で形成される梱包部材であって、折り曲げられた前記紙の前記折り目を跨いで、前記紙の内側に突出する前記紙の一部である第一当て部と、前記第一当て部から前記基準線の延びる方向に離隔した位置にある前記紙の一部であって、前記折り目を跨いで前記紙の内側に突出する第二当て部と、前記第一当て部と前記第二当て部との間にある前記紙の一部であって、前記基準線に沿って前記紙の内側に配置された前記物品を、前記所定方向と前記基準線とが略平行に延びる姿勢で保持して、前記物品が前記基準線から離隔する方向に移動することを規制する保持部とを備え、前記第一当て部及び前記第二当て部は、それぞれ、前記基準線の延びる方向に対向する一対の切れ目の間に形成された、前記紙が折り曲げられた場合に前記基準線から離隔する方向に屈折又は湾曲する部分であり、前記第一当て部は、前記保持部によって保持されている前記物品に前記第一方向側から対向して、前記物品の前記第一方向の移動を規制し、前記第二当て部は、前記保持部によって保持されている前記物品における前記第二方向側から対向して、前記物品の前記第二方向の移動を規制し、前記物品は、インクを出すペン先と、前記ペン先を収容した本体部と、前記本体部の前記第一方向の端部に設けられ、前記本体部から前記ペン先を進出させ、又は前記本体部に前記ペン先を退入させるために、押圧操作が可能なノック部と、前記本体部の前記第二方向の端部に設けられ、前記ペン先が進退可能なペン孔とを有し、前記第一当て部は、前記第一当て部の内側に形成される隙間に挿入された前記ノック部と接触することで、前記ノック部を前記第一当て部の内側に保持し、且つ、前記本体部の前記第一方向の端部に接触することで、前記物品の前記第一方向の移動を規制し、前記第二当て部は、前記第一当て部よりも前記基準線から距離が小さく、且つ前記本体部の前記第二方向の端部に接触することで、前記物品の前記第二方向の移動を規制することを特徴とする。
【０００７】
これによれば、紙が折り目に沿って折り曲げられた場合、基準線の延びる方向に離隔した第一当て部及び第二当て部が、折り目を跨いで紙の内側に突出する。第一当て部と第二当て部との間には、基準線に沿って紙の内側に配置された物品を保持して、物品が基準線から離隔する方向に移動することを規制する保持部が設けられている。第一当て部及び第二当て部は、それぞれ紙が折り曲げられた場合に基準線から離隔する方向に屈折又は湾曲する部分である。第一当て部及び第二当て部は、保持部によって保持されている物品に互いに反対方向から対向して、物品の移動を規制する。従って、一枚の紙を折り曲げた簡易な構造で、所定方向に延びる物品を梱包できる。
【図面の簡単な説明】
【０００８】
【図１】位置検出装置１の斜視図である。
【図２】電子ペン３の斜視図である。
【図３】折り曲げられる前の梱包部材５０の正面図である。
【図４】折り曲げられた後の梱包部材５０の斜視図である。
【図５】電子ペン３が梱包される過程にある梱包部材５０の斜視図である。
【図６】電子ペン３が梱包された状態にある梱包部材５０の斜視図である。
【図７】電子ペン３が梱包された状態にある梱包部材５０の正面図である。
【発明を実施するための形態】
【０００９】
以下、本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１０】
図１を参照し、位置検出装置１の概要を説明する。以下の説明では、図１の上側、下側、右上側、左下側、左上側、右下側を、それぞれ位置検出装置１の前側、後側、上側、下側、左側、右側とする。位置検出装置１は、位置検出装置１に配置された紙媒体５に電子ペン３によって記入された情報を、電子データとして取得する装置である。
【００１１】
位置検出装置１は、樹脂製で矩形薄板状の筐体８Ｌ，８Ｒを備える。位置検出装置１は、筐体８Ｌ，８Ｒを左右方向に見開いた状態（図１参照）と、筐体８Ｌ，８Ｒを折り畳んだ状態（図示略）とに変形できる。紙媒体５は、筐体８Ｌ，８Ｒのそれぞれの正面に配置される。筐体８Ｌ，８Ｒは、それぞれ、センサ基板９Ｌ，９Ｒ等の各種基板（図示略）を収容する。
【００１２】
センサ基板９Ｌ，９Ｒは、それぞれ、互いに直交する二軸方向に並ぶ複数のアンテナコイル（図示略）をセンサ面上に張り巡らせた、矩形の基板である。センサ基板９Ｌ，９Ｒの制御部（図示略）は、アンテナコイルのスイッチを順に切り換え、個々のアンテナコイルに順に電流を流し、センサ面を二軸方向それぞれにおいてスキャンする。電子ペン３はコイル２０（図２参照）を内蔵し、コイル２０から磁界を発生させる。センサ基板９Ｌ，９Ｒの制御部は、電磁誘導によってアンテナコイルを流れる電流に生じた変化に基づく信号を検出し、センサ基板９Ｌ，９Ｒに対する電子ペン３の位置（座標）を算出して出力可能である。
【００１３】
紙媒体５は、左右方向に見開き可能な冊子状の媒体である。紙媒体５は、一対の表紙（表表紙６Ｌ、裏表紙６Ｒ）と複数の用紙７を、それぞれの縁部で綴じて形成したものであり、例えばＡ５サイズのノートである。紙媒体５は、表表紙６Ｌが筐体８Ｌの正面に載置され、且つ、裏表紙６Ｒが筐体８Ｒの正面に載置されるように、位置検出装置１に配置される。紙媒体５が位置検出装置１に配置された状態で、ユーザは電子ペン３を用いて紙媒体５に情報を記入する。このとき、位置検出装置１は、センサ基板９Ｌ，９Ｒから出力される電子ペン３の位置（座標）に基づいて、紙媒体５に記入された情報を示す電子データを生成する。
【００１４】
図２を参照し、電子ペン３の外観構造を説明する。以下の説明では、図２の上下方向は、電子ペン３の延びる軸方向である。軸方向の両端側を、それぞれ電子ペン３の基端側及び先端側という。図２の上側及び下側は、それぞれ電子ペン３の基端側及び先端側である。
【００１５】
電子ペン３は、軸方向に長く延びる円筒状のカバー体１０を備える。カバー体１０の先端部に、ペン孔１４が形成されている。カバー体１０の基端部に、ノック部１７が設けられている。ノック部１７が下側へ押圧されると、カバー体１０の内部に設けられた周知のラチェット機構によって、リフィル１５のペン先１６がペン孔１４を介して進退する。リフィル１５は、インクが充填された管を有する替え芯である。ペン先１６は、リフィル１５が有する管の先端部に設けられている。ペン孔１４を介して進出したペン先１６は、カバー体１０の外部に突出する。ペン孔１４を介して退入したペン先１６は、カバー体１０の内部に収容される。
【００１６】
カバー体１０の基端側の内部に、電子回路を実装する基板（図示外）が収容されている。カバー体１０の外部に突出したペン先１６が用紙７に押し付けられると、リフィル１５はカバー体１０内で基端側へ移動して、基板に外力を伝達する。外力が伝達されている基板では、電子回路のスイッチを閉じられてオン状態になる。ペン先１６が用紙７から離されると、リフィル１５はカバー体１０内で先端側へ移動するため、基板に外力を伝達しない。外力が伝達されていない基板では、基板の電子回路のスイッチが開かれてオフ状態になる。
【００１７】
上記の電子回路は、コイル２０への通電を行う通電回路を含む。通電回路は、電子回路がオン状態になると、コイル２０に所定の電流を流して磁界を発生させる。これにより位置検出装置１は、先述したようにセンサ基板９Ｌ，９Ｒによって電子ペン３の位置を検出できる。
【００１８】
カバー体１０は、握り部１１、挟み部１２、及び胴軸部１３を含む。挟み部１２は、胴軸部１３の基端側に設けられている。挟み部１２及び胴軸部１３は、円筒状に形成されている。挟み部１２及び胴軸部１３は、互いに同軸上に配置された状態で、円環状のリング１９を介して連結される。握り部１１は、胴軸部１３の先端部に取り付けられる。握り部１１は、その軸方向の中央部が膨らむ筒状である。握り部１１の先端部中央に、上記のペン孔１４が形成されている。本実施形態では、カバー体１０のうちで最も径方向長さが大きい部位は、握り部１１の軸方向の中央部である。径方向長さは、電子ペン３の軸方向と直交する方向における長さである。
【００１９】
挟み部１２の側面には、板状のクリップ１８が設けられている。クリップ１８は、軸方向に長い弾性のある板状部である。クリップ１８の基端部は、挟み部１２の側面と連結されている。クリップ１８を例えば背広のポケット等に掛けることで、ユーザは電子ペン３を保持できる。
【００２０】
図３を参照し、梱包部材５０を説明する。以下の説明では、図３の上側、下側、右側、左側、紙面手前側、紙面奥側を、それぞれ梱包部材５０の上側、下側、右側、左側、前側、後側とする。図３は、梱包部材５０が折り曲げられる前の状態を示す。本実施形態の梱包部材５０は、後述の基準線Ｃを中心に折り曲げ可能な一枚の紙５９で形成された、電子ペン３を梱包するための部材である。
【００２１】
図３では、谷折り線を破線で示し、山折り線を二点鎖線で示し、基準線Ｃを一点鎖線で示す。谷折り線は、正面視で谷折り線が二つ折りされた紙の内側に隠れるように、紙を折ることを示す仮想線である。紙の内側は、二つ折りされた紙における鋭角側（所謂、谷側）である。山折り線は、正面視で山折り線が二つ折りされた紙の外側に現れるように、紙を折ることを示す仮想線である。紙の外側は、二つ折りされた紙における鈍角側（所謂、山側）である。基準線Ｃは、折り曲げられる前の紙５９を左右方向略中心において、上下方向に延びる仮想線である。
【００２２】
図３に示すように、折り曲げられる前の紙５９は、上下方向に長く、且つ左右対称な略矩形状である。紙５９は、左部分５０Ｌ、右部分５０Ｒ、及び中心折り目６０を含む。中心折り目６０は、作業者が紙５９を折り曲げやすいように、紙５９に予め加工されている折り目である。中心折り目６０は、基準線Ｃ上に設けられる。左部分５０Ｌは、紙５９のうちで中心折り目６０よりも左側の部分である。右部分５０Ｒは、紙５９のうちで中心折り目６０よりも右側の部分である。左部分５０Ｌ及び右部分５０Ｒは、基準線Ｃを挟んで左右対称である。
【００２３】
左部分５０Ｌは、第一部分５１Ｌ、第二部分５２Ｌ、及び折り目５３Ｌを含む。折り目５３Ｌは、基準線Ｃから左方向に所定距離離れた位置に設けられ、且つ左部分５０Ｌに亘って上下方向に延びる。第一部分５１Ｌは、左部分５０Ｌのうちで折り目５３Ｌよりも左側の部分である。第二部分５２Ｌは、左部分５０Ｌのうちで折り目５３Ｌよりも右側の部分である。本実施形態では、第一部分５１Ｌの左右方向長さは、第二部分５２Ｌの左右方向長さよりも小さい。
【００２４】
同様に、右部分５０Ｒは、第一部分５１Ｒ、第二部分５２Ｒ、及び折り目５３Ｒを含む。第一部分５１Ｒ、第二部分５２Ｒ、及び折り目５３Ｒは、基準線Ｃを挟んで、それぞれ第一部分５１Ｌ、第二部分５２Ｌ、及び折り目５３Ｌと左右対称である。
【００２５】
切れ目７１，７２，７３，７４，７５，７６，７７が、第二部分５２Ｌ，５２Ｒに予め形成されている。切れ目７１〜７３は、紙５９の上側部分に設けられている。切れ目７４〜７７は、紙５９の下側部分に設けられている。
【００２６】
切れ目７１は、紙５９の上辺部中央から下側に向けて、矩形状に切欠かれた切れ目である。切れ目７７は、紙５９の下辺部中央から上側に向けて、矩形状に切欠かれた切れ目である。切れ目７１，７７は、いずれも基準線Ｃを挟んで左右対称である。本実施形態の切れ目７１，７７は、互いに形状及び大きさの少なくとも一つが異なる。切れ目７１の上下方向長さは、切れ目７７の上下方向長さよりも若干大きい。切れ目７１の左右方向長さは、切れ目７７の左右方向長さよりも若干大きい。
【００２７】
切れ目７２は、切れ目７１の下方に設けられた、紙５９を矩形状に開口する切れ目である。切れ目７２は、基準線Ｃを挟んで左右対称をなす矩形状である。切れ目７１の下辺部と切れ目７２の上辺部は、上下方向に対向する。本実施形態では、切れ目７２の左右方向長さは、切れ目７１の左右方向長さよりも若干大きい。
【００２８】
切れ目７３〜７６は、紙５９を前後方向に貫通する、左右方向に延びる直線状の切れ目である。切れ目７３〜７６は、いずれも基準線Ｃを挟んで左右対称である。切れ目７３は、切れ目７２の下方に設けられ、切れ目７２の下辺部と上下方向に対向する。切れ目７６は、切れ目７７の上方に設けられ、切れ目７７の上辺部と上下方向に対向する。切れ目７４，７５は、いずれも切れ目７６の上方に設けられている。切れ目７４，７５は、所定間隔を空けて上下方向に対向している。本実施形態では、切れ目７３〜７５の各左右方向長さは、いずれも切れ目７２と左右方向長さと略等しい。切れ目７６の左右方向長さは、切れ目７７と左右方向長さと略等しい
【００２９】
中心折り目６０は、複数の折り目６１，６２，６３，６４，６５，６６を含む。折り目６１は、切れ目７１，７２に亘って延びている。折り目６２は、切れ目７２，７３に亘って延びている。折り目６３は、切れ目７３，７４に亘って延びている。折り目６４は、切れ目７４，７５に亘って延びている。折り目６５は、切れ目７５，７６に亘って延びている。折り目６６は、切れ目７６，７７に亘って延びている。尚、折り目６３は、複数の折り目６１〜６６のうちで、最も上下方向長さが大きい。
【００３０】
更に、折り目５４Ｌ，５４Ｒ，５５Ｌ，５５Ｒ，５６Ｌ，５６Ｒ，５７Ｌ，５７Ｒが、予め紙５９に加工されている。折り目５４Ｌは、切れ目７１の左下端部と切れ目７２とに亘って、上下方向に延びている。折り目５４Ｒは、切れ目７１の右下端部と切れ目７２とに亘って、上下方向に延びている。折り目５４Ｌ，５４Ｒは、折り目６１を挟んで左右方向に対向する。
【００３１】
折り目５５Ｌは、切れ目７２の左下端部と切れ目７３の左端部とに亘って、上下方向に延びている。折り目５５Ｒは、切れ目７２の右下端部と切れ目７３の右端部とに亘って、上下方向に延びている。折り目５５Ｌ，５５Ｒは、折り目６２を挟んで左右方向に対向する。折り目５６Ｌは、切れ目７４の左端部と切れ目７５の左端部とに亘って、上下方向に延びている。折り目５６Ｒは、切れ目７４の右端部と切れ目７５の右端部とに亘って、上下方向に延びている。折り目５６Ｌ，５６Ｒは、折り目６４を挟んで左右方向に対向する。
【００３２】
折り目５７Ｌは、切れ目７６の左端部と切れ目７７の左上端部とに亘って、上下方向に延びている。折り目５７Ｒは、切れ目７６の右端部と切れ目７７の右上端部とに亘って、上下方向に延びている。折り目５７Ｌ，５７Ｒは、折り目６６を挟んで左右方向に対向する。
【００３３】
図４〜図７を参照して、梱包部材５０を用いた電子ペン３の梱包態様を説明する。図４〜図７において、折り曲げられた紙５９における基準線Ｃは、谷折りされた折り目６３，６５を通っている。
【００３４】
図４に示すように、まず作業者は、折り曲げられる前の紙５９（図３参照）を、以下の手順によって、図４に示すように折り曲げる。すなわち作業者は、紙５９を折り目５３Ｌ，５３Ｒに沿って山折りする。これにより、第一部分５１Ｌの後面と第二部分５２Ｌの後面とが近づくように、紙５９が折り目５３Ｌに沿って折り曲げられる。第一部分５１Ｒの後面と第二部分５２Ｒの後面とが近づくように、紙５９が折り目５３Ｒに沿って折り曲げられる。
【００３５】
更に作業者は、紙５９を中心折り目６０に沿って折る。このとき、折り目６１，６３，６５，６６が谷折りとなり、且つ折り目６２，６４が山折りとなるように、作業者は紙５９を折る。これにより、第二部分５２Ｌ，５２Ｒの各前面が近づくように、紙５９が中心折り目６０に沿って折り曲げられる。同時に、紙５９のうちで切れ目７２，７３（図３参照）の間にある部分が切れ目７２，７３から前側に剥離し、紙５９のうちで切れ目７４，７５（図３参照）の間にある部分が切れ目７４，７５から前側に剥離する。
【００３６】
作業者は折り目５５Ｌ，５５Ｒを谷折りすることで、切れ目７２，７３から剥離した部分を前側に屈折又は湾曲させる。これにより、基準線Ｃから前方に離隔した位置に、保持部８１が形成される。同様に、作業者は折り目５６Ｌ，５６Ｒを谷折りすることで、切れ目７４，７５から剥離した部分を前側に屈折又は湾曲させる。これにより、基準線Ｃから前方に離隔した位置に、保持部８２が形成される。
【００３７】
その結果、図４に示すように、紙５９は平面視で略Ｍの字に折り曲げられる。紙５９の内側（図４に示す例では、紙５９の前側）には、保持部８１，８２が上下方向に並んで形成されている。保持部８１は、折り目６２を跨いで紙５９の内側に突出する。保持部８２は、折り目６４を跨いで紙５９の内側に突出する。基準線Ｃから保持部８１，８２までの各距離は、いずれも電子ペン３の径方向長さの最大値以上である。保持部８１，８２の内側（本実施形態では、後側）に、上下方向に貫通する隙間が形成される。保持部８１，８２の内側にそれぞれ形成された隙間は、少なくとも電子ペン３のカバー体１０を挿入可能な開口幅を有する。
【００３８】
次に作業者は、ペン先１６が退入されている電子ペン３を、保持部８１，８２の内側に上方から挿入する。このとき作業者は、電子ペン３の軸方向が梱包部材５０の上下方向と略一致する姿勢で、谷折りされた折り目６１，６３，６５，６６に沿って、電子ペン３を保持部８１，８２の内側に挿入する。更に作業者は、電子ペン３の挟み部１２とクリップ１８との間に保持部８１を挿入することで、クリップ１８を保持部８１に上方から掛ける。作業者は、クリップ１８の基端部が保持部８１の上辺部に接触する位置まで、電子ペン３を下方に移動させる。
【００３９】
これにより、図５に示すように、電子ペン３の胴軸部１３が折り目６３に沿って、紙５９の内側に配置される。保持部８１は、その内側に挿入された挟み部１２に接触することで、電子ペン３を挟み部１２の内側に保持する。保持部８２は、その内側に挿入された握り部１１に接触することで、握り部１１を保持部８１の内側に保持する。つまり、保持部８１，８２は、基準線Ｃに沿って紙５９の内側に配置された電子ペン３を保持して、電子ペン３が基準線Ｃから離隔する方向に移動することを規制する。
【００４０】
クリップ１８の基端部が保持部８１の上端部に接触しているため、電子ペン３の下側移動が規制されている。この場合、電子ペン３のノック部１７よりも上側に、折り目６１が配置される。作業者は、谷折りされている折り目６１が山折りになるように、紙５９のうちで切れ目７１，７２（図３参照）の間にある部分を前側に押し出す。これにより、保持部８１の上側に、折り目６１を跨いで紙５９の内側に突出する当て部８３が形成される。基準線Ｃから当て部８３までの距離は、電子ペン３の径方向長さの最大値未満である。当て部８３の内側に、上下方向に貫通する隙間が形成される。当て部８３の内側に形成された隙間は、ノック部１７を挿入可能であり、且つ挟み部１２を挿入困難な開口幅を有する。
【００４１】
本実施形態では、先述したように、二か所の切れ目７１，７７（図３参照）の切欠き形状が互いに異なっている。紙５９の上下方向両端部に形成された切れ目７１，７７の切欠き形状の違いによって、作業者は紙５９の上下方向を容易に特定できる。従って作業者は、紙５９の上下方向を誤ることなく、電子ペン３を保持部８１，８２の内側に上方から挿入できる。
【００４２】
次に作業者は、図６及び図７に示すように、電子ペン３を若干上方に移動させて、ノック部１７を当て部８３の内側に挿入する。本実施形態では、保持部８１を形成する一対の切れ目７２，７３の上下方向距離は、クリップ１８の軸方向の長さよりも小さい。従って作業者は、クリップ１８が保持部８１に掛かっている状態を維持しつつ、電子ペン３を上方に移動できる。
【００４３】
ノック部１７が当て部８３の内側に挿入されている状態では、当て部８３の下辺部は挟み部１２の上端部と上下方向に対向する。作業者は、挟み部１２の上端部が当て部８３の下辺部に接触する位置まで、電子ペン３を上方に移動させる。挟み部１２の上端部が当て部８３の下辺部に接触すると、電子ペン３の上側移動が規制される。
【００４４】
挟み部１２の上端部が当て部８３の下辺部に接触している状態では、電子ペン３の握り部１１よりも下側に折り目６６が配置されている。作業者は、谷折りされている折り目６６が山折りになるように、紙５９のうちで切れ目７６，７７（図３参照）の間にある部分を前側に押し出す。これにより、保持部８２の下側に、折り目６６を跨いで紙５９の内側に突出する当て部８４が形成される。
【００４５】
基準線Ｃから当て部８４までの距離は、電子ペン３の径方向長さの最大値未満である。本実施形態では、基準線Ｃから当て部８４までの距離は、基準線Ｃから当て部８３までの距離よりも若干小さい。当て部８４の内側に、上下方向に貫通する隙間が形成される。当て部８４の内側に形成された隙間は、握り部１１を挿入困難な開口幅を有する。当て部８４の上辺部は、握り部１１の下端部と上下方向に対向する。電子ペン３が例えば自重によって下方向に移動すると、握り部１１の下端部が当て部８４の上辺部に接触するため、電子ペン３の下側移動が規制される。
【００４６】
これにより、電子ペン３は、挟み部１２の上端部に上側から対向する当て部８３によって、保持部８１，８２の内側から上方に抜け出すことが防止される。電子ペン３は、握り部１１の下端部に上側から対向する当て部８４によって、保持部８１，８２の内側から下方に抜け出すことが防止される。更に当て部８３，８４の上下方向距離は、カバー体１０の上下方向長さ（つまり、挟み部１２の上端部から握り部１１の下端部までの長さ）と略同一又は若干大きい程度である。電子ペン３は当て部８３，８４によって上下方向の可動範囲が制限されるため、ノック部１７が当て部８３から下方に抜け出すことも防止される。
【００４７】
電子ペン３が梱包された梱包部材５０は、図示外の梱包箱に収容される。電子ペン３が収容された梱包箱は、例えば輸送又は保管される。例えば輸送中の梱包箱に振動が生じた場合でも、梱包箱内の電子ペン３は保持部８１，８２及び当て部８３，８４によって梱包部材５０から外れることが抑制される。従って、電子ペン３に傷が生じることを抑制しつつ、電子ペン３の適切に輸送及び保管できる。
【００４８】
図示しないが、電子ペン３の挟み部１２の表面には、例えばロゴを示す表記部が形成されている。電子ペン３が梱包部材５０に梱包された状態では、挟み部１２の表記部が切れ目７２を介して、紙５９の後側に露出する。従って作業者は、梱包部材５０に梱包されている電子ペン３の表記部を、切れ目７２を介して確認できる。例えば輸送中の梱包箱に振動が生じた場合でも、挟み部１２の表記部が紙５９に接触して擦れることを抑制できる。
【００４９】
以上説明したように、本実施形態によれば、紙５９が中心折り目６０に沿って折り曲げられた場合、基準線Ｃの延びる方向に離隔した当て部８３，８４が、それぞれ折り目６１，６６を跨いで梱包部材５０の内側に突出する。当て部８３，８４の間には、基準線Ｃに沿って紙５９の内側に配置された電子ペン３を保持して、電子ペン３が基準線Ｃから離隔する方向に移動することを規制する保持部８１，８２が設けられている。当て部８３，８４は、それぞれ紙５９が折り曲げられた場合に基準線Ｃから離隔する方向に屈折又は湾曲する部分である。当て部８３，８４は、保持部８１，８２によって保持されている電子ペン３に互いに反対方向から対向して、電子ペン３の移動を規制する。従って、一枚の紙５９を折り曲げた簡易な構造で、上下方向に延びる電子ペン３を梱包できる。
【００５０】
上記実施形態において、第一方向が本発明の「上方向」に相当する。第二方向が本発明の「下方向」に相当する。電子ペン３が本発明の「物品」に相当する。中心折り目６０が本発明の「折り目」に相当する。当て部８３が本発明の「第一当て部」に相当する。当て部８４が本発明の「第二当て部」に相当する。保持部８１，８２の少なくとも一つが、本発明の「保持部」に相当する。切れ目７１，７２及び切れ目７６，７７が、本発明の「一対の切れ目」に相当する。保持部８１が本発明の「第一保持部」に相当する。保持部８２が本発明の「第二保持部」に相当する。カバー体１０が本発明の「本体部」に相当する。切れ目７２が本発明の「開口部」に相当する。
【００５１】
本発明は上記実施形態に限定されるものではなく、発明の要旨を変更しない範囲での変更が可能である。例えば、電子ペン３を保持する保持部８１，８２は、梱包部材５０に一つだけ設けてもよいし、三つ以上設けてもよい。梱包部材５０に保持される物品は、電子ペン３に限定されず、所定方向に延びる物品（例えば、懐中電灯、釣竿、リモコン等）であればよい。連続して並ぶ複数の梱包部材５０を、一枚の紙５９で形成してもよい。この場合、一枚の紙５９で形成された複数の梱包部材５０のそれぞれに、物品を梱包できる。
【符号の説明】
【００５２】
３    電子ペン
１０    カバー体
１４    ペン孔
１６    ペン先
１７    ノック部
５０    梱包部材
５９    紙
６０    中心折り目
７１〜７７    切れ目
８１，８２    保持部
８３，８４    当て部
【図１】
0006330529.tif 000002
【図２】
0006330529.tif 000003
【図３】
0006330529.tif 000004
【図４】
0006330529.tif 000005
【図５】
0006330529.tif 000006
【図６】
0006330529.tif 000007
【図７】
0006330529.tif 000008